【手続補正書】
【提出日】平成15年10月21日(2003.10.21)
【手続補正１】
【補正対象書類名】明細書
【補正対象項目名】発明の名称
【補正方法】変更
【補正の内容】
【発明の名称】情報記録装置及び情報記録方法、情報記録媒体並びに情報再生装置及び情報再生方法
【手続補正２】
【補正対象書類名】明細書
【補正対象項目名】特許請求の範囲
【補正方法】変更
【補正の内容】
【特許請求の範囲】
【請求項１】
Ｎ（Ｎ≧２）ビット毎の記録単位に分割された記録すべき記録情報を、当該記録単位毎にＭ（Ｍ＞Ｎ）ビットのコードデータに変換して記録する情報記録装置であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録装置において、
複数の前記コードデータにより構成されるデータセクタにおける最後の前記コードデータを復調するための前記再生変換テーブルを指定する指定情報を生成する指定情報生成手段と、
前記生成された指定情報を、一の前記データセクタの直後に付加するように記録する指定情報記録手段と、
を備えたことを特徴とする情報記録装置。
【請求項２】
請求項１に記載の情報記録装置において、
前記記録単位のデータ長は８ビットであり、前記コードデータのデータ長は１６ビットであることを特徴とする情報記録装置。
【請求項３】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録されている情報記録媒体において、
複数の前記コードデータにより構成されたデータセクタにおける最後の前記コードデータを復調するための前記再生変換テーブルを指定する指定情報が、一の前記データセクタの直後に付加された構造を備えることを特徴とする情報記録媒体。
【請求項４】
請求項３に記載の情報記録媒体において、
前記記録単位のデータ長は８ビットであり、前記コードデータのデータ長は１６ビットであることを特徴とする情報記録媒体。
【請求項５】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、
前記情報記録媒体から前記コードデータ及び前記指定情報を検出し、検出信号を出力する検出手段と、
前記出力された検出信号から前記指定情報を抽出する抽出手段と、
前記抽出された指定情報を用いて、前記データセクタにおける最後の前記コードデータを復調するための前記再生変換テーブルを指定して当該最後のコードデータを復調する復調手段と、
を備えたことを特徴とする情報再生装置。
【請求項６】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、
前記情報記録媒体から前記コードデータ及び前記指定情報を検出し、検出信号を出力する検出手段と、
前記出力された検出信号から前記指定情報を抽出する抽出手段と、
前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成手段と、
前記生成された接続コードデータを用いて、前記データセクタにおける最後の前記コードデータを復調するための前記再生変換テーブルを指定して当該最後のコードデータを復調する復調手段と、
を備えたことを特徴とする情報再生装置。
【請求項７】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生装置であって、
前記情報記録媒体から前記コードデータ及び前記指定情報を検出し、検出信号を出力する検出手段と、
前記出力された検出信号から前記指定情報を抽出する抽出手段と、
前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成手段と、
前記生成された接続コードデータを用いて、前記データセクタにおける最後の前記コードデータを復調するための前記再生変換テーブルを指定して当該最後のコードデータを復調する復調手段と、
を備えたことを特徴とする情報再生装置。
【請求項８】
請求項５から７のいずれか一項に記載の情報再生装置において、
前記記録単位のデータ長は８ビットであり、前記コードデータのデータ長は１６ビットであることを特徴とする情報再生装置。
【請求項９】
Ｎ（Ｎ≧２）ビット毎の記録単位に分割された記録すべき記録情報を、当該記録単位毎にＭ（Ｍ＞Ｎ）ビットのコードデータに変換して記録する情報記録方法であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録方法において、
複数の前記コードデータにより構成されるデータセクタにおける最後の前記コードデータを復調するための前記再生変換テーブルを指定する指定情報を生成する指定情報生成工程と、
前記生成された指定情報を、一の前記データセクタの直後に付加するように記録する指定情報記録工程と、
を備えたことを特徴とする情報記録方法。
【請求項１０】
請求項９に記載の情報記録方法において、
前記記録単位のデータ長は８ビットであり、前記コードデータのデータ長は１６ビットであることを特徴とする情報記録方法。
【請求項１１】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、
前記情報記録媒体から前記コードデータ及び前記指定情報を検出し、検出信号を出力する検出工程と、
前記出力された検出信号から前記指定情報を抽出する抽出工程と、
前記抽出された指定情報を用いて、前記データセクタにおける最後の前記コードデータを復調するための前記再生変換テーブルを指定して当該最後のコードデータを復調する復調工程と、
を備えたことを特徴とする情報再生方法。
【請求項１２】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、
前記情報記録媒体から前記コードデータ及び前記指定情報を検出し、検出信号を出力する検出工程と、
前記出力された検出信号から前記指定情報を抽出する抽出工程と、
前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成工程と、
前記生成された接続コードデータを用いて、前記データセクタにおける最後の前記コードデータを復調するための前記再生変換テーブルを指定して当該最後のコードデータを復調する復調工程と、
を備えたことを特徴とする情報再生方法。
【請求項１３】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生方法であって、
前記情報記録媒体から前記コードデータ及び前記指定情報を検出し、検出信号を出力する検出工程と、
前記出力された検出信号から前記指定情報を抽出する抽出工程と、
前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成工程と、
前記生成された接続コードデータを用いて、前記データセクタにおける最後の前記コードデータを復調するための前記再生変換テーブルを指定して当該最後のコードデータを復調する復調工程と、
を備えたことを特徴とする情報再生方法。
【請求項１４】
請求項１１から１３のいずれか一項に記載の情報再生方法において、
前記記録単位のデータ長は８ビットであり、前記コードデータのデータ長は１６ビットであることを特徴とする情報再生方法。
【請求項１５】
情報記録媒体に情報を記録する情報記録装置において、前記装置は、Ｎビットの長さの記録データを入力するための入力装置と、
（ｎ＋１）（ｎは整数）番目の記録データを、ｍ番目（ｍは整数）のコードデーダを当該ｍ番目のコードデータに対応するｎ番目の記録データに復調する際に用いられる復調テーブルを選択するための復調情報を含む（ｍ＋１）番目のコードデータヘと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記ｎ番目の記録データに復調する復調方式からなる所定の変調復調方法を用いて、入力記録データをＭ（Ｍ≧Ｎ）ビットの長さのコードデータに変調する変調手段と、
前記変調された複数のコードデータを含むデータセクタを前記情報記録媒体に記録する第１の記録手段と、
前記変調された入力記録データに基づき、前記所定の変調復調方法を用いて、前記データセクタの最後部に置かれた最後のコードデータを当該最後のコードデータに対応した前記記録データに復調するときに用いられる前記復調テーブルを選択するための前記復調情報を含む指定情報を生成する生成手段と、
前記生成された指定情報を前記情報記録媒体の前記最後のコードデータの後に記録する第２の記録手段と、
を備えたことを特徴とする情報記録装置。
【請求項１６】
前記入力装置はデータ長が8ビットである記録データを入力し、前記変調手段は８／１６変調・復調方式を使用することにより、入力された記録データをデータ長が１６ビットのコードデータに変調することを特徴とする請求項１５に記載の情報記録装置。
【請求項１７】
前記生成手段は、コードデータと同じデータ長の指定情報を生成することを特徴とする請求項１５に記載の情報記録装置。
【請求項１８】
情報再生装置により再生されるデータを記録する情報記録媒体であって、該情報記録媒体には複数のデータセクタで構成されたデータ構造が記録されており、
前記データセクタは各々複数のコードデータを含み、該コードデータは各々Ｍビットの長さであって、（ｎ＋１）（ｎは整数）番目の記録データを、ｍ番目（ｍは整数）のコードデータを当該ｍ番目のコードデータに対応するｎ番目の記録データに復調する際に用いられる復調テーブルを選択するための復調情報を含む（ｍ＋１）番目のコードデータヘと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記ｎ番目の記録データに復調する復調方式からなる所定の変調復調方法を用いて、Ｎ（Ｎ≦Ｍ）ビットの長さの各記録データを変調して得られるとともに、
各データセクタは、前記情報記録媒体に記録されたデータセクタの最後部に置かれた最後のコードデータの後に付加された指定情報を含み、該指定情報は前記所定の変調復調方法を用いて前記最後のコードデータを当該最後のコードデータに対応した記録データに復調するときに用いられる前記復調テーブルを選択するための復調情報を含むことを特徴とする情報記録媒体。
【請求項１９】
記録データのデータ長は8ビットであり、コードデータのデータ長は１６ビットであることを特徴とする請求項１８に記載の情報記録媒体。
【請求項２０】
情報記録媒体に記録されたデータセクタに含まれた情報を再生する情報再生装置において、前記データセクタは複数のコードデータおよび指定情報を含み、該コードデータは各々Ｍビットの長さであって、（ｎ＋１）（ｎは整数）番目の記録データを、ｍ番目（ｍは整数）のコードデータを当該ｍ番目のコードデータに対応するｎ番目の記録データに復調する際に用いられる復調テーブルを選択するための復調情報を含む（ｍ＋１）番目のコードデータへと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記n番目の記録データに復調する復調方式からなる所定の変調復調方法を用いて、Ｎ（Ｎ≦Ｍ）ビットの長さの各記録データを変調して得られ、前記指定情報は前記情報記録媒体に記録されたデータセクタの最後部に置かれた最後のコードデータの後に付加されるとともに、前記所定の変調復調方法を用いて前記最後のコードデータを当該最後のコードデータに対応した記録データに復調するときに用いられる前記復調テーブルを選択するための復調情報を含み、前記装置は、
前記情報記録媒体に記録された前記データセクタを検出する検出装置と、
検出されたデータセクタから前記各コードデータおよび前記指定情報を抽出する抽出手段と、
抽出されたコードデータが最後のコードデータでないときには前記所定の変調復調方法を用いて、抽出された各コードデータを当該各抽出コードデータに対応した記録データに復調する第１の復調手段と、
抽出されたコードデータが最後のコードデータのときは前記抽出された指定情報に含まれた前記復調情報に基づいて前記復調テーブルの中の一の復調テーブルを選択し、当該選択復調テーブルに基づいて前記最後のコードデータを当該最後のコードデータに対応した記録データに復調する方法によって、前記最後のコードデータを当該最後のコードデータに対応した記録データに復調する第２の復調手段と、
を備えたことを特徴とする情報再生装置。
【請求項２１】
記録データのデータ長は８ビットであり、コードデータのデータ長は１６ビットであり、第１復調手段は８／１６変調・復調方式を使用することにより、抽出されたコードデータを復調することを特徴とする請求項２０に記載の情報記録媒体。
【請求項２２】
情報記録媒体に記録された第１のデータセクタおよび第２のデータセクタのそれぞれに含まれた情報を再生する情報再生装置において、前記第１のデータセクタおよび第１のデータセクタはそれぞれ同期データと、複数のコードデータと、指定情報と、を含み、前記同期データは前記第１のデータセクタおよび前記第２のデータセクタのそれぞれ頭部に付加されており、前記各コードデータの長さはＭビットであり、前記同期データの長さはＬ（Ｌ＞Ｍ）ビットであり、前記各コードデータは前記第１のデータセクタおよび前記第２のデータセクタのそれぞれにおいて前記同期データの直後に配置され、前記各コードデータは（ｎ＋１）（ｎは整数）番目の記録データを、ｍ番目（ｍは整数）のコードデータを当該ｍ番目のコードデータに対応するｎ番目の記録データに復調する際に用いられる復調テーブルを選択するための復調情報を含む（ｍ＋１）番目のコードデータへと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記ｎ番目の記録データに復調する復調方式からなる所定の変調復調方法を用いて、長さＮ（Ｎ≦Ｍ）の各記録データを変調して得られ、また前記指定情報は前記情報記録媒体に記録された前記第１のデータセクタおよび前記第２のデータセクタのそれぞれの最後部に置かれた最後のコードデータである最後のコードデータの後に付加されるとともに、前記指定情報は所定の変調復調方法を用いて前記最後のコードデータを当該最後のコードデータに対応する記録データに復調する際に用いられる復調テーブルを選択するための前記復調情報を含み、前記指定情報の長さは前記コードデータの長さと等しいことを特徴とし、前記装置は、
前記情報記録媒体に記録された前記第１のデータセクタおよび前記第２のデータセクタをそれぞれ検出する検出手段と、
検出された第１のデータセクタおよび第２のデータセクタのそれぞれから、前記同期データ、前記各コードデータおよび前記指定情報を抽出する抽出手段と、
前記第１のデータセクタに含まれた前記指定情報のＭＳＢ側最初の部分でのＫ（１≦Ｋ≦Ｍ）ビットと、前記第２のデータセクタに含まれた前記ＭＳＢ側最初の部分での（Ｌ−Ｋ）番目のビットおよび前記同期データの次のビットとを接続することにより接続データを生成する生成手段と、
抽出されたコードデータが最後のコードデータではないときには前記所定の変調復調方法を用いて、各抽出コードデータを当該各抽出コードデータに対応する記録データに復調する第１の復調手段と、
抽出されたコードデータが最後のコードデータのときは前記生成された接続データに基づいて複数の復調テーブルの中から当該復調テーブルを選択し、当該選択復調テーブルに基づいて前記最後のコードデータを当該最後のコードデータに対応する記録データに復調する方法によって、前記最後のコードデータをその対応する記録データに復調する第２の復調手段と、
を備えたことを特徴とする情報再生装置。
【請求項２３】
記録データのデータ長は８ビットであり、コードデータのデータ長は１６ビットであり、第１復調手段は８／１６変調・復調方式を使用することにより、抽出されたコードデータを復調することを特徴とする請求項２２に記載の情報再生装置。
【請求項２４】
前記生成手段は、第１のデータセクタを含む指定情報の開始部分のＭＳＢ側の１ビットと、第２のデータセクタに含まれる同期データの後続ビットとを接続することにより接続データを生成することを特徴とする請求項２３に記載の情報再生装置。
【請求項２５】
情報記録媒体に情報を記録する情報記録装置において、
Ｎビットの長さの記録データが入力される入力端子と、
先行するコードデータに基づき複数の変調テーブルの中の一を用いて入力記録データをＮより大きい数であるＭビットの長さのコードデータに変調する変調手段と、
複数の前記コードデータを含む所定のデータユニット内の最後のコードデータを復調する際に用いられる復調テーブルを指定する指定情報を生成する生成手段と、
前記情報記録媒体に前記データユニット及び前記指定情報を、該指定情報を前記最後のコードデータの後に配置して記録する記録手段と、
を備えたことを特徴とする情報記録装置。
【請求項２６】
前記入力端子はデータ長が８ビットの記録データを入力し、
前記変調手段は、８／１６変調・復調方式を使用することにより、記録データを、データ長が１６ビットであるコードデータに変調することを特徴とする請求項２５に記載の情報記録装置。
【請求項２７】
前記生成手段は、コードデータと同じデータ長の指定情報を生成することを特徴とする請求項２５に記載の情報記録装置。
【請求項２８】
情報再生装置により再生されるデータを記録する情報記録媒体であって複数のデータユニットで構成されたデータ構造を有し、前記各データユニットは、
先行のコードデータに基づいて選択された複数の変調テーブルの中の一を用いてＮビットの長さの記録データを変調することにより得られ、それぞれの長さがＮより大きい数のＭビットである複数のコードデータと、
前記データユニット内の最後のコードデータの後に付加され当該最後のコードデータを復調する際に用いられる復調テーブルを指定する指定情報と、
を含むことを特徴とする情報記録媒体。
【請求項２９】
各データユニットはデータ長が１６ビットである複数のコードデータを含み、前記コードデータの各々は、８／１６変調・復調方式を使用することにより、データ長が８ビットである記録データを変調することにより得られることを特徴とする請求項２８に記載の情報記録媒体。
【請求項３０】
前記指定情報のデータ長はコードデータのデータ長と同一であることを特徴とする請求項２８に記載の情報記録媒体。
【請求項３１】
複数のデータユニットで構成されたデータ構造を有し、各データユニットには先行のコードデータに基づいて選択された複数の変調テーブルの中の一を用いて、
Ｎビットの長さの記録データを変調することにより得られ、それぞれの長さがＮより大きい数のＭビットである複数のコードデータと、
データユニット内の最後のコードデータの後に付加され当該最後のコードデータを復調する際に用いられる復調テーブルを指定する指定情報と、が含まれている情報記録媒体に記録された情報を再生する情報再生装置であって、
前記情報記録媒体に記録された前記データユニットを検出する検出手段と、
検出されたチータユニットの中から前記コードデータ及び前記指定情報を抽出する抽出手段と、
後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、
を備えたことを特徴とする情報再生装置。
【請求項３２】
前記情報記録媒体の各データユニットは、データ長が１６ビットである複数のコードデータを含み、前記複数のコードデータの各々は、８／１６変調・復調方式を使用することにより、データ長が８ビットの記録データを変調することにより得られ、前記復調手段は、８／１６変調・復調方式を使用することにより、抽出されたコードデータ及び最後のコードデータを復調することを特徴とする請求項３１に記載の情報再生装置。
【請求項３３】
前記指定情報のデータ長はコードデータのデータ長と同一であることを特徴とする請求項３１に記載の情報再生装置。
【請求項３４】
複数のデータユニットで構成されたデータ構造を有し、各データユニットには先行するＭビットのコードデータに基づいて選択された複数の変調テーブルの中の一を用いて、
Ｎビットの長さの記録データを変調することにより得られ、それぞれの長さがＮより大きい数のＭビットである複数のコードデータと、
データユニット内の最後のコードデータの後に付加され当該最後のコードデータを復調する際に用いられる復調テーブルを指定する指定情報と、
前記複数のコードデータの前に置かれ、Ｍより大きい数のＬビットの長さを有する同期データと、が含まれている情報記録媒体に記録された情報を再生する情報再生装置であって、
前記情報記録媒体に記録された前記データユニットを検出する検出手段と、
検出されたデータユニットから前記同期データ、前記コードデータ及び前記指定情報を抽出する抽出手段と、
後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、
前記同期データを第１の部分と第２の部分に分離する分離手段と、
前記指定情報と後続のデータユニットに含まれている前記同期データの第２の部分とを接続して新たな同期データを生成する接続手段と、
を備えたことを特徴とする情報再生装置。
【請求項３５】
前記情報記録媒体の各データユニットは、データ長が１６ビットである複数のコードデータを含み、前記複数のコードデータの各々は、８／１６変調・復調方式を使用することにより、データ長が８ビットの記録データを変調することにより得られ、
前記復調手段は、８／１６変調・復調方式を使用することにより、抽出されたコードデータ及び最後のコードデータを復調することを特徴とする請求項３４に記載の情報再生装置。
【請求項３６】
前記指定情報のデータ長はコードデータのデータ長と同一であることを特徴とする請求項３４に記載の情報再生装置。
【請求項３７】
前記同期データのデータ長は前記コードデータのデータ長の２倍であることを特徴とする請求項３４に記載の情報再生装置。
【請求項３８】
Ｎビットの長さのＮビットデータをＮより大きい数のＭビットの長さのＭビットコードデータに変調するデータ変調方法において、
Ｎビットデータを供給する工程と、
先行するＭビットコードデータに基づき複数の変調テーブルの中の一を用いて、供給されたＮビットデータをＭビットコードデータに変調する工程と、
複数の前記Ｍビットコードデータを含む所定のデータユニットを形成する工程と、
前記データユニットの最後部に置かれた最後のＭビットコードデータを復調する際に用いられる復調テーブルを指定する指定情報を生成する工程と、
前記指定情報を前記最後のＭビットコードデータの後に付加する工程と、
を備えたことを特徴とするデータ変調方法。
【請求項３９】
前記Ｎビットデータのデータ長は８ビットであり、前記Ｍビットデータのデータ長は１６ビットであることを特徴とする請求項３８に記載のデータ変調方法。
【請求項４０】
前記指定情報のデータ長はコードデータのデータ長と同一であることを特徴とする請求項３８に記載のデータ変調方法。
【請求項４１】
Ｎより大きい数のＭビットの長さのＭビットコードデータをＮビットの長さのＮビットデータに復調するデータ復調方法において、
複数のＭビットコードデータおよび指定情報を含むデータユニットを得る工程と、
前記デ一タユニットから前記Ｍビットコードデータ及び前記指定情報を抽出する工程と、
後続のＭビットコードデータに基づき複数の復調テーブルの中の一を用いて前記抽出されたＭビットコードデータのそれぞれを復調するとともに、前記指定情報に基づき前記複数の復調テーブルの中の一を用いて前記データユニット内の最後のＭビットコードデータを復調する工程と、
を備えたことを特徴とするデータ復調方法。
【請求項４２】
前記Ｎビットデータのデータ長は８ビットであり、前記Ｍビットデータのデータ長は１６ビットであることを特徴とする請求項４１に記載のデータ復調方法。
【請求項４３】
前記指定情報のデータ長はコードデータのデータ長と同一であることを特徴とする請求項４１に記載のデータ復調方法。
【手続補正３】
【補正対象書類名】明細書
【補正対象項目名】０００８
【補正方法】変更
【補正の内容】
【０００８】
【課題を解決するための手段】
上記の課題を解決するために、請求項１に記載の発明は、Ｎ（Ｎ≧２）ビット毎の記録単位に分割された記録すべき記録情報を、当該記録単位毎にＭ（Ｍ＞Ｎ）ビットのコードデータに変換して記録する情報記録装置であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録装置において、複数の前記コードデータにより構成されるデータセクタにおける最後の前記コードデータを復調するための前記再生変換テーブルを指定する指定情報を生成する指定情報生成手段と、前記生成された指定情報を、一の前記データセクタの直後に付加するように記録する指定情報記録手段と、を備える。
【手続補正４】
【補正対象書類名】明細書
【補正対象項目名】０００９
【補正方法】変更
【補正の内容】
【０００９】
上記の課題を解決するために、請求項３に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録されている情報記録媒体において、複数の前記コードデータにより構成されたデータセクタにおける最後の前記コードデータを復調するための前記再生変換テーブルを指定する指定情報が、一の前記データセクタの直後に付加された構造を備える。
【手続補正５】
【補正対象書類名】明細書
【補正対象項目名】００１０
【補正方法】変更
【補正の内容】
【００１０】
上記の課題を解決するために、請求項５に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、前記情報記録媒体から前記コードデータ及び前記指定情報を検出し、検出信号を出力する検出手段と、前記出力された検出信号から前記指定情報を抽出する抽出手段と、前記抽出された指定情報を用いて、前記データセクタにおける最後の前記コードデータを復調するための前記再生変換テーブルを指定して当該最後のコードデータを復調する復調手段と、を備える。
【手続補正６】
【補正対象書類名】明細書
【補正対象項目名】００１１
【補正方法】変更
【補正の内容】
【００１１】
上記の課題を解決するために、請求項６に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、前記情報記録媒体から前記コードデータ及び前記指定情報を検出し、検出信号を出力する検出手段と、前記出力された検出信号から前記指定情報を抽出する抽出手段と、前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成手段と、前記生成された接続コードデータを用いて、前記データセクタにおける最後の前記コードデータを復調するための前記再生変換テーブルを指定して当該最後のコードデータを復調する復調手段と、を備える。
【手続補正７】
【補正対象書類名】明細書
【補正対象項目名】００１２
【補正方法】変更
【補正の内容】
【００１２】
上記の課題を解決するために、請求項７に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生装置であって、前記情報記録媒体から前記コードデータ及び前記指定情報を検出し、検出信号を出力する検出手段と、前記出力された検出信号から前記指定情報を抽出する抽出手段と、前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成手段と、前記生成された接続コードデータを用いて、前記データセクタにおける最後の前記コードデータを復調するための前記再生変換テーブルを指定して当該最後のコードデータを復調する復調手段と、を備える。
【手続補正８】
【補正対象書類名】明細書
【補正対象項目名】００１３
【補正方法】変更
【補正の内容】
【００１３】
上記の課題を解決するために、請求項９に記載の発明は、Ｎ（Ｎ≧２）ビット毎の記録単位に分割された記録すべき記録情報を、当該記録単位毎にＭ（Ｍ＞Ｎ）ビットのコードデータに変換して記録する情報記録方法であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録方法において、複数の前記コードデータにより構成されるデータセクタにおける最後の前記コードデータを復調するための前記再生変換テーブルを指定する指定情報を生成する指定情報生成工程と、前記生成された指定情報を、一の前記データセクタの直後に付加するように記録する指定情報記録工程と、を備える。
【手続補正９】
【補正対象書類名】明細書
【補正対象項目名】００１４
【補正方法】変更
【補正の内容】
【００１４】
上記の課題を解決するために、請求項１１に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、前記情報記録媒体から前記コードデータ及び前記指定情報を検出し、検出信号を出力する検出工程と、前記出力された検出信号から前記指定情報を抽出する抽出工程と、前記抽出された指定情報を用いて、前記データセクタにおける最後の前記コードデータを復調するための前記再生変換テーブルを指定して当該最後のコードデータを復調する復調工程と、を備える。
【手続補正１０】
【補正対象書類名】明細書
【補正対象項目名】００１５
【補正方法】変更
【補正の内容】
【００１５】
上記の課題を解決するために、請求項１２に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、前記情報記録媒体から前記コードデータ及び前記指定情報を検出し、検出信号を出力する検出工程と、前記出力された検出信号から前記指定情報を抽出する抽出工程と、前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成工程と、前記生成された接続コードデータを用いて、前記データセクタにおける最後の前記コードデータを復調するための前記再生変換テーブルを指定して当該最後のコードデータを復調する復調工程と、を備える。
【手続補正１１】
【補正対象書類名】明細書
【補正対象項目名】００１６
【補正方法】変更
【補正の内容】
【００１６】
上記の課題を解決するために、請求項１３に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生方法であって、前記情報記録媒体から前記コードデータ及び前記指定情報を検出し、検出信号を出力する検出工程と、前記出力された検出信号から前記指定情報を抽出する抽出工程と、前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成工程と、前記生成された接続コードデータを用いて、前記データセクタにおける最後の前記コードデータを復調するための前記再生変換テーブルを指定して当該最後のコードデータを復調する復調工程と、を備える。
【手続補正１２】
【補正対象書類名】明細書
【補正対象項目名】００１７
【補正方法】変更
【補正の内容】
【００１７】
上記の課題を解決するために、請求項１５に記載の発明は、情報記録媒体に情報を記録する情報記録装置において、前記装置は、Ｎビットの長さの記録データを入力するための入力装置と、（ｎ＋１）（ｎは整数）番目の記録データを、ｍ番目（ｍは整数）のコードデーダを当該ｍ番目のコードデータに対応するｎ番目の記録データに復調する際に用いられる復調テーブルを選択するための復調情報を含む（ｍ＋１）番目のコードデータヘと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記ｎ番目の記録データに復調する復調方式からなる所定の変調復調方法を用いて、入力記録データをＭ（Ｍ≧Ｎ）ビットの長さのコードデータに変調する変調手段と、前記変調された複数のコードデータを含むデータセクタを前記情報記録媒体に記録する第１の記録手段と、前記変調された入力記録データに基づき、前記所定の変調復調方法を用いて、前記データセクタの最後部に置かれた最後のコードデータを当該最後のコードデータに対応した前記記録データに復調するときに用いられる前記復調テーブルを選択するための前記復調情報を含む指定情報を生成する生成手段と、前記生成された指定情報を前記情報記録媒体の前記最後のコードデータの後に記録する第２の記録手段と、を備える。
【手続補正１３】
【補正対象書類名】明細書
【補正対象項目名】００１８
【補正方法】変更
【補正の内容】
【００１８】
上記の課題を解決するために、請求項１８に記載の発明は、情報再生装置により再生されるデータを記録する情報記録媒体であって、該情報記録媒体には複数のデータセクタで構成されたデータ構造が記録されており、前記データセクタは各々複数のコードデータを含み、該コードデータは各々Ｍビットの長さであって、（ｎ＋１）（ｎは整数）番目の記録データを、ｍ番目（ｍは整数）のコードデータを当該ｍ番目のコードデータに対応するｎ番目の記録データに復調する際に用いられる復調テーブルを選択するための復調情報を含む（ｍ＋１）番目のコードデータヘと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記ｎ番目の記録データに復調する復調方式からなる所定の変調復調方法を用いて、Ｎ（Ｎ≦Ｍ）ビットの長さの各記録データを変調して得られるとともに、各データセクタは、前記情報記録媒体に記録されたデータセクタの最後部に置かれた最後のコードデータの後に付加された指定情報を含み、該指定情報は前記所定の変調復調方法を用いて前記最後のコードデータを当該最後のコードデータに対応した記録データに復調するときに用いられる前記復調テーブルを選択するための復調情報を含むように構成される。
【手続補正１４】
【補正対象書類名】明細書
【補正対象項目名】００１９
【補正方法】変更
【補正の内容】
【００１９】
上記の課題を解決するために、請求項２０に記載の発明は、情報記録媒体に記録されたデータセクタに含まれた情報を再生する情報再生装置において、前記デタセクタは複数のコードデータおよび指定情報を含み、該コードデータは各々Ｍビットの長さであって、（ｎ＋１）（ｎは整数）番目の記録データを、ｍ番目（ｍは整数）のコードデータを当該ｍ番目のコードデータに対応するｎ番目の記録データに復調する際に用いられる復調テーブルを選択するための復調情報を含む（ｍ＋１）番目のコードデータへと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記ｎ番目の記録データに復調する復調方式からなる所定の変調復調方法を用いて、Ｎ（Ｎ≦Ｍ）ビットの長さの各記録データを変調して得られ、前記指定情報は前記情報記録媒体に記録されたデータセクタの最後部に置かれた最後のコードデータの後に付加されるとともに、前記所定の変調復調方法を用いて前記最後のコードデータを当該最後のコードデータに対応した記録データに復調するときに用いられる前記復調テーブルを選択するための復調情報を含み、前記装置は、前記情報記録媒体に記録された前記データセクタを検出する検出装置と、検出されたデータセクタから前記各コードデータおよび前記指定情報を抽出する抽出手段と、抽出されたコードデータが最後のコードデータでないときには前記所定の変調復調方法を用いて、抽出された各コードデータを当該各抽出コードデータに対応した記録データに復調する第１の復調手段と、抽出されたコードデータが最後のコードデータのときは前記抽出された指定情報に含まれた前記復調情報に基づいて前記復調テーブルの中の一の復調テーブルを選択し、当該選択復調テーブルに基づいて前記最後のコードデータを当該最後のコードデータに対応した記録データに復調する方法によって、前記最後のコードデータを当該最後のコードデータに対応した記録データに復調する第２の復調手段と、を備える。
【手続補正１５】
【補正対象書類名】明細書
【補正対象項目名】００２０
【補正方法】変更
【補正の内容】
【００２０】
上記の課題を解決するために、請求項２２に記載の発明は、情報記録媒体に記録された第１のデータセクタおよび第２のデータセクタのそれぞれに含まれた情報を再生する情報再生装置において、前記第１のデータセクタおよび第１のデータセクタはそれぞれ同期データと、複数のコードデータと、指定情報と、を含み、前記同期データは前記第１のデータセクタおよび前記第２のデータセクタのそれぞれ頭部に付加されており、前記各コードデータの長さはＭビットであり、前記同期データの長さはＬ（Ｌ＞Ｍ）ビットであり、前記各コードデータは前記第１のデータセクタおよび前記第２のデータセクタのそれぞれにおいて前記同期データの直後に配置され、前記各コードデータは（ｎ＋１）（ｎは整数）番目の記録データを、ｍ番目（ｍは整数）のコードデータを当該ｍ番目のコードデータに対応するｎ番目の記録データに復調する際に用いられる復調テーブルを選択するための復調情報を含む（ｍ＋１）番目のコードデータへと変調する変調方式と、前記（ｍ＋１）番目のコードデータに含まれた前記復調情報に基づいて複数の復調テーブルの中から前記復調テーブルを選択し、当該選択復調テーブルに基づいて前記ｍ番目のコードデータを当該ｍ番目のコードデータに対応する前記ｎ番目の記録データに復調する復調方式からなる所定の変調復調方法を用いて、長さＮ（Ｎ≦Ｍ）の各記録データを変調して得られ、また前記指定情報は前記情報記録媒体に記録された前記第１のデータセクタおよび前記第２のデータセクタのそれぞれの最後部に置かれた最後のコードデータである最後のコードデータの後に付加されるとともに、前記指定情報は所定の変調復調方法を用いて前記最後のコードデータを当該最後のコードデータに対応する記録データに復調する際に用いられる復調テーブルを選択するための前記復調情報を含み、前記指定情報の長さは前記コードデータの長さと等しいことを特徴とし、前記装置は、前記情報記録媒体に記録された前記第１のデータセクタおよび前記第２のデータセクタをそれぞれ検出する検出手段と、検出された第１のデータセクタおよび第２のデータセクタのそれぞれから、前記同期データ、前記各コードデータおよび前記指定情報を抽出する抽出手段と、前記第１のデータセクタに含まれた前記指定情報のＭＳＢ側最初の部分でのＫ（１≦Ｋ≦Ｍ）ビットと、前記第２のデータセクタに含まれた前記ＭＳＢ側最初の部分での（Ｌ−Ｋ）番目のビットおよび前記同期データの次のビットとを接続することにより接続データを生成する生成手段と、抽出されたコードデータが最後のコードデータではないときには前記所定の変調復調方法を用いて、各抽出コードデータを当該各抽出コードデータに対応する記録データに復調する第１の復調手段と、抽出されたコードデータが最後のコードデータのときは前記生成された接続データに基づいて複数の復調テーブルの中から当該復調テーブルを選択し、当該選択復調テーブルに基づいて前記最後のコードデータを当該最後のコードデータに対応する記録データに復調する方法によって、前記最後のコードデータをその対応する記録データに復調する第２の復調手段と、を備える。
【手続補正１６】
【補正対象書類名】明細書
【補正対象項目名】００２１
【補正方法】変更
【補正の内容】
【００２１】
上記の課題を解決するために、請求項２５に記載の発明は、情報記録媒体に情報を記録する情報記録装置において、Ｎビットの長さの記録データが入力される入力端子と、先行するコードデータに基づき複数の変調テーブルの中の一を用いて入力記録データをＮより大きい数であるＭビットの長さのコードデータに変調する変調手段と、複数の前記コードデータを含む所定のデータユニット内の最後のコードデータを復調する際に用いられる復調テーブルを指定する指定情報を生成する生成手段と、前記情報記録媒体に前記データユニット及び前記指定情報を、該指定情報を前記最後のコードデータの後に配置して記録する記録手段と、を備える。
【手続補正１７】
【補正対象書類名】明細書
【補正対象項目名】００２２
【補正方法】変更
【補正の内容】
【００２２】
上記の課題を解決するために、請求項２８に記載の発明は、情報再生装置により再生されるデータを記録する情報記録媒体であって複数のデータユニットで構成されたデータ構造を有し、前記各データユニットは、先行のコードデータに基づいて選択された複数の変調テーブルの中の一を用いてＮビットの長さの記録データを変調することにより得られ、それぞれの長さがＮより大きい数のＭビットである複数のコードデータと、前記データユニット内の最後のコードデータの後に付加され当該最後のコードデータを復調する際に用いられる復調テーブルを指定する指定情報と、を含む。
【手続補正１８】
【補正対象書類名】明細書
【補正対象項目名】００２３
【補正方法】変更
【補正の内容】
【００２３】
上記の課題を解決するために、請求項３１に記載の発明は、複数のデータユニットで構成されたデータ構造を有し、各データユニットには先行のコードデータに基づいて選択された複数の変調テーブルの中の一を用いて、Ｎビットの長さの記録データを変調することにより得られ、それぞれの長さがＮより大きい数のＭビットである複数のコードデータと、データユニット内の最後のコードデータの後に付加され当該最後のコードデータを復調する際に用いられる復調テーブルを指定する指定情報と、が含まれている情報記録媒体に記録された情報を再生する情報再生装置であって、前記情報記録媒体に記録された前記データユニットを検出する検出手段と、検出されたチータユニットの中から前記コードデータ及び前記指定情報を抽出する抽出手段と、後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、を備える。
【手続補正１９】
【補正対象書類名】明細書
【補正対象項目名】００２４
【補正方法】変更
【補正の内容】
【００２４】
上記の課題を解決するために、請求項３４に記載の発明は、複数のデータユニットで構成されたデータ構造を有し、各データユニットには先行するＭビットのコードデータに基づいて選択された複数の変調テーブルの中の一を用いて、Ｎビットの長さの記録データを変調することにより得られ、それぞれの長さがＮより大きい数のＭビットである複数のコードデータと、データユニット内の最後のコードデータの後に付加され当該最後のコードデータを復調する際に用いられる復調テーブルを指定する指定情報と、前記複数のコードデータの前に置かれ、Ｍより大きい数のＬビットの長さを有する同期データと、が含まれている情報記録媒体に記録された情報を再生する情報再生装置であって、前記情報記録媒体に記録された前記データユニットを検出する検出手段と、検出されたデータユニットから前記同期データ、前記コードデータ及び前記指定情報を抽出する抽出手段と、後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、前記同期データを第１の部分と第２の部分に分離する分離手段と、前記指定情報と後続のデータユニットに含まれている前記同期データの第２の部分とを接続して新たな同期データを生成する接続手段と、を備える。
【手続補正２０】
【補正対象書類名】明細書
【補正対象項目名】００２５
【補正方法】変更
【補正の内容】
【００２５】
上記の課題を解決するために、請求項３８に記載の発明は、Ｎビットの長さのＮビットデータをＮより大きい数のＭビットの長さのＭビットコードデータに変調するデータ変調方法において、Ｎビットデータを供給する工程と、先行するＭビットコードデータに基づき複数の変調テーブルの中の一を用いて、供給されたＮビットデータをＭビットコードデータに変調する工程と、複数の前記Ｍビットコードデータを含む所定のデータユニットを形成する工程と、前記データユニットの最後部に置かれた最後のＭビットコードデータを復調する際に用いられる復調テーブルを指定する指定情報を生成する工程と、前記指定情報を前記最後のＭビットコードデータの後に付加する工程と、を備える。
【手続補正２１】
【補正対象書類名】明細書
【補正対象項目名】００２６
【補正方法】変更
【補正の内容】
【００２６】
上記の課題を解決するために、請求項４１に記載の発明は、Ｎより大きい数のＭビットの長さのＭビットコードデータをＮビットの長さのＮビットデータに復調するデータ復調方法において、複数のＭビットコードデータおよび指定情報を含むデータユニットを得る工程と、前記デ一タユニットから前記Ｍビットコードデータ及び前記指定情報を抽出する工程と、後続のＭビットコードデータに基づき複数の復調テーブルの中の一を用いて前記抽出されたＭビットコードデータのそれぞれを復調するとともに、前記指定情報に基づき前記複数の復調テーブルの中の一を用いて前記データユニット内の最後のＭビットコードデータを復調する工程と、を備える。
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００４１
【補正方法】変更
【補正の内容】
【００４１】
ここで、ＰＡが二種類設定される理由を説明する。
図２に示すように、８／１６変調の際の記録変換テーブルにおいては、ステート１及び４については、一のコードデータが必ず一の記録情報（８ビットデータ）に対応しているが、ステート２及び３については、同一のコードデータが異なる記録情報に対応している場合がある（図２におけるステート情報欄の丸印参照）。一方、当該コードデータを復調する際には、上述の８／１６復調が行われ、この際には、（ｍ＋１）番目に検出されたコードデータに基づいて、（ｍ＋１）番目に検出されたコードデータのステートを判断し、その結果により当該ｍ番目に検出されたコードデータを元の記録情報に変換する再生変換テーブルが指定される。このとき、上述のように、ステートが２又は３の場合には一のコードデータが複数の記録情報に対応する場合があるが、ｍ番目に検出されたコードデータのステートが１、２又は４のいずれかであること（この中のいずれであるかが特定される必要はない。）が（ｍ＋１）番目に検出されたコードデータから判明すれば、再生変換テーブルが一種類に特定でき、当該ｍ番目に検出されたコードデータは（そのステートが１又は４である場合も含めて）必ず一の記録情報に対応し、複数の記録情報に対応する場合はない。また、ｍ番目に検出されたコードデータのステートが１、３又は４のいずれかである場合（この中のいずれであるかが特定される必要はない。）にも、再生変換テーブルが一種類に特定でき、当該コードデータは（そのステートが１又は４である場合も含めて）必ず一の記録情報に対応し、複数の記録情報に対応する場合はない。従って、８／１６復調の際には、コードデータのステートが１、２又は４のいずれかであるか、又は１、３又は４のいずれかであるかの二通りの判断さえできれば当該コードデータの正確な復調が可能となる。


【手続補正２９】
【補正対象書類名】明細書
【補正対象項目名】００５３
【補正方法】変更
【補正の内容】
【００５３】
以上説明したように、本発明の情報記録装置Ｓ１によれば、コードデータを８／１６変調を用いてＤＶＤ−ＲＡＭ１に記録する際に、各データセクタ２２の最後にＰＡ部２５が形成されて記録されるので、当該データセクタ２２に記録されたコードデータを再生するとき、（ｎ＋１）番目に検出したコードデータに基づいて、ｎ番目に検出したコードデータに対応する再生変換テーブルを指定することにより当該ｎ番目に検出されたコードデータを再生する方法によりコードデータを再生する場合に、データセクタ２２の最後のコードデータについては、上記ＰＡ部２５を用いて当該最後のコードデータを再生することができる。
従って、データセクタ２２相互間で無関係に記録情報が記録されている場合でも、正確にデータセクタ２２の最後のコードデータを再生することができ、全てのコードデータを正確に再生して元の記録情報を得ることができる。
（II）情報再生装置の実施の形態
次に、本発明に係る情報再生装置の実施の形態について、図７乃至図１２を用いて実施形態毎に説明する。なお、以下に説明する各実施形態にのうち、第１実施形態は、ＤＶＤ−ＲＡＭ１を再生するための専用の復調部を備えた場合の実施形態であり、第２実施形態は、ＤＶＤ−ＲＯＭを復調するための復調部を用いて、ＤＶＤ−ＲＡＭ１を再生するための実施形態である。更に、第１実施形態における情報再生装置については、通常は上述のＤＶＤ−ＲＡＭ１のための情報記録装置と同一の筐体内に構成されるものである。
（Ａ）第１実施形態
始めに、情報再生装置の第１実施形態について、図７及び図８を用いてその構成及び動作を説明する。


【手続補正３０】
【補正対象書類名】明細書
【補正対象項目名】００６１
【補正方法】変更
【補正の内容】
【００６１】
以上説明したように、情報再生装置Ｓ２においては、ＤＶＤ−ＲＡＭ１に記録されているＰＡを用いて、データセクタ２２の最後のコードデータを再生するので、８／１６復調において、当該最後のコードデータを正確に再生することができる。
従って、データセクタ２２相互間で無関係に記録情報が記録されている場合でも、正確にデータセクタ２２の最後のコードデータを再生することができ、全てのコードデータを正確に再生して元の記録情報を得ることができる。
（Ｂ）第２実施形態
次に、情報再生装置の第２実施形態について、図９乃至図１２を用いてその構成及び動作を説明する。


【手続補正３１】
【補正対象書類名】明細書
【補正対象項目名】００７３
【補正方法】削除
【補正の内容】
【手続補正３２】
【補正対象書類名】明細書
【補正対象項目名】００７４
【補正方法】削除
【補正の内容】
【手続補正３３】
【補正対象書類名】明細書
【補正対象項目名】００７５
【補正方法】削除
【補正の内容】
【手続補正３４】
【補正対象書類名】明細書
【補正対象項目名】００７６
【補正方法】削除
【補正の内容】
【手続補正３５】
【補正対象書類名】明細書
【補正対象項目名】００７７
【補正方法】削除
【補正の内容】
【手続補正３６】
【補正対象書類名】明細書
【補正対象項目名】００７８
【補正方法】削除
【補正の内容】
【手続補正３７】
【補正対象書類名】明細書
【補正対象項目名】００７９
【補正方法】削除
【補正の内容】
【手続補正３８】
【補正対象書類名】明細書
【補正対象項目名】００８０
【補正方法】削除
【補正の内容】
【手続補正３９】
【補正対象書類名】明細書
【補正対象項目名】００８１
【補正方法】削除
【補正の内容】
【手続補正４０】
【補正対象書類名】明細書
【補正対象項目名】００８２
【補正方法】削除
【補正の内容】
【手続補正４１】
【補正対象書類名】明細書
【補正対象項目名】００８３
【補正方法】削除
【補正の内容】
【手続補正４２】
【補正対象書類名】明細書
【補正対象項目名】００８４
【補正方法】削除
【補正の内容】
【手続補正４３】
【補正対象書類名】明細書
【補正対象項目名】００８５
【補正方法】削除
【補正の内容】
【手続補正４４】
【補正対象書類名】明細書
【補正対象項目名】００８６
【補正方法】削除
【補正の内容】
【手続補正４５】
【補正対象書類名】明細書
【補正対象項目名】００８７
【補正方法】削除
【補正の内容】
【手続補正４６】
【補正対象書類名】図面
【補正対象項目名】図１
【補正方法】変更
【補正の内容】
【図１】
1998011909.tif 000001